【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
個別に発光輝度を制御可能な複数の光源を有する発光手段と、
前記複数の光源に対応する複数の領域からなる画面を有し、前記発光手段からの光を透過して前記画面に画像を表示する表示手段と、
入力画像データの階調値を第１の増加量で増加させた第１画像データを前記表示手段に出力する画像処理手段と、
前記入力画像データの前記複数の領域それぞれにおける明るさを示す特徴量、もしくは前記入力画像データの階調値を前記第１の増加量よりも小さい第２の増加量で増加させた第２画像データの前記複数の領域それぞれにおける明るさを示す特徴量に基づいて、前記複数の光源の発光輝度を制御する制御手段と、
を有することを特徴とする表示装置。
【請求項２】
前記制御手段は、前記入力画像データの特徴量に基づいて、前記複数の光源の発光輝度を制御する
ことを特徴とする請求項１に記載の表示装置。
【請求項３】
前記制御手段が前記入力画像データの各領域の特徴量、もしくは前記第２画像データの各領域の特徴量に基づいて前記複数の光源の発光輝度を制御する第１のモードと、前記制御手段が前記第１画像データの前記複数の領域それぞれにおける明るさを示す特徴量に基づいて前記複数の光源の発光輝度を制御する第２のモードと、を含む複数の動作モードのうち１つを前記表示装置の動作モードに設定可能な設定手段を有し、
前記制御手段は、前記設定手段で設定された動作モードに基づいて、前記複数の光源の発光輝度を制御する
ことを特徴とする請求項１に記載の表示装置。
【請求項４】
前記設定手段は、前記入力画像データが暗い画像のデータである場合に、前記第１のモードを設定し、前記入力画像データが暗い画像のデータでない場合に、前記第２のモードを設定する
ことを特徴とする請求項３に記載の表示装置。
【請求項５】
個別に発光輝度を制御可能な複数の光源を有する発光手段と、
前記複数の光源に対応する複数の領域からなる画面を有し、前記発光手段からの光を透過して前記画面に画像を表示する表示手段と、
入力画像データの階調値を第１の増加量で増加させた第１画像データを前記表示手段に出力する画像処理手段と、
前記第１の増加量を設定する設定手段と、
前記第１の増加量が閾値以下である場合に前記第１画像データの前記複数の領域それぞれにおける明るさを示す特徴量に基づいて前記複数の光源の発光輝度を制御し、
前記第１の増加量が前記閾値より大きい場合に前記閾値以下の増加量で前記入力画像データの階調値を増加させた第２画像データの前記複数の領域それぞれにおける明るさを示す特徴量に基づいて、前記複数の光源の発光輝度を制御する制御手段と、
を備えることを特徴とする表示装置。
【請求項６】
ユーザの指示に応じて前記閾値を設定する閾値設定手段を備える
ことを特徴とする請求項５に記載の表示装置。
【請求項７】
前記入力画像データの輝度が低いほど前記閾値が大きくなるように、前記閾値を設定する閾値設定手段を備える
ことを特徴とする請求項５に記載の表示装置。
【請求項８】
入力画像データにグラフィック画像を合成する合成手段をさらに有し、
前記画像処理手段は、グラフィック画像の輝度が変化しないように前記第１画像データを生成し、
前記制御手段は、グラフィック画像が重畳された前記入力画像データの前記複数の領域の明るさを示す特徴量に基づいて、複数の光源の発光輝度を制御する
ことを特徴とする請求項１〜７のいずれか１項に記載の表示装置。
【請求項９】
前記画像処理手段は、前記光源の発光輝度に応じて補正する補正処理を、前記第１画像データに施す
ことを特徴とする請求項１〜８のいずれか１項に記載の表示装置。
【請求項１０】
個別に発光輝度を制御可能な複数の光源を有する発光手段と、
前記複数の光源に対応する複数の領域からなる画面を有し、前記発光手段からの光を透過して前記画面に画像を表示する表示手段と、
を有する表示装置の制御方法であって、
入力画像データの階調値を第１の増加量で増加させた第１画像データを前記表示手段に出力する画像処理ステップと、
前記入力画像データの前記複数の領域それぞれにおける明るさを示す特徴量、もしくは前記入力画像データの階調値を前記第１の増加量よりも小さい第２の増加量で増加させた第２画像データの前記複数の領域それぞれにおける明るさを示す特徴量に基づいて、前記複数の光源の発光輝度を制御する制御ステップと、
を有することを特徴とする表示装置の制御方法。
【請求項１１】
前記制御ステップでは、前記入力画像データの特徴量に基づいて、前記複数の光源の発光輝度が制御される
ことを特徴とする請求項１０に記載の表示装置の制御方法。
【請求項１２】
前記制御ステップにおいて前記入力画像データの各領域の特徴量、もしくは前記第２画像データの各領域の特徴量に基づいて前記複数の光源の発光輝度が制御される第１のモードと、前記制御ステップにおいて前記第１画像データの前記複数の領域それぞれにおける明るさを示す特徴量に基づいて前記複数の光源の発光輝度が制御される第２のモードと、
を含む複数の動作モードのうち１つを前記表示装置の動作モードに設定可能な設定ステップを有し、
前記制御ステップでは、前記設定ステップにおいて設定された動作モードに基づいて、前記複数の光源の発光輝度が制御される
ことを特徴とする請求項１０に記載の表示装置の制御方法。
【請求項１３】
前記設定ステップでは、前記入力画像データが暗い画像のデータである場合に、前記第１のモードが設定され、前記入力画像データが暗い画像のデータでない場合に、前記第２のモードが設定される
ことを特徴とする請求項１２に記載の表示装置の制御方法。
【請求項１４】
個別に発光輝度を制御可能な複数の光源を有する発光手段と、
前記複数の光源に対応する複数の領域からなる画面を有し、前記発光手段からの光を透過して前記画面に画像を表示する表示手段と、
を有する表示装置の制御方法であって、
入力画像データの階調値を第１の増加量で増加させた第１画像データを前記表示手段に出力する画像処理ステップと、
前記第１の増加量を設定する設定ステップと、
前記第１の増加量が閾値以下である場合に前記第１画像データの前記複数の領域それぞれにおける明るさを示す特徴量に基づいて前記複数の光源の発光輝度を制御し、
前記第１の増加量が前記閾値より大きい場合に前記閾値以下の増加量で前記入力画像データの階調値を増加させた第２画像データの前記複数の領域それぞれにおける明るさを示す特徴量に基づいて、前記複数の光源の発光輝度を制御する制御ステップと、
を有することを特徴とする表示装置の制御方法。
【請求項１５】
ユーザの指示に応じて前記閾値を設定する閾値設定ステップを有する
ことを特徴とする請求項１４に記載の表示装置の制御方法。
【請求項１６】
前記入力画像データの輝度が低いほど前記閾値が大きくなるように、前記閾値を設定する閾値設定ステップを有する
ことを特徴とする請求項１４に記載の表示装置の制御方法。
【請求項１７】
入力画像データにグラフィック画像を合成する合成ステップをさらに有し、
前記画像処理ステップでは、グラフィック画像の輝度が変化しないように前記第１画像データが生成され、
前記制御ステップでは、グラフィック画像が重畳された前記入力画像データの前記複数の領域の明るさを示す特徴量に基づいて、複数の光源の発光輝度が制御される
ことを特徴とする請求項１０〜１６のいずれか１項に記載の表示装置の制御方法。
【請求項１８】
前記画像処理ステップでは、前記光源の発光輝度に応じて補正する補正処理が、前記第１画像データに施される
ことを特徴とする請求項１０〜１７のいずれか１項に記載の表示装置の制御方法。
【請求項１９】
請求項１０〜１８のいずれか１項に記載の表示装置の制御方法の各ステップをコンピュータに実行させるためのプログラム。
【手続補正２】
【補正対象書類名】明細書
【補正対象項目名】０００７
【補正方法】変更
【補正の内容】
【０００７】
本発明の第１の態様は、
個別に発光輝度を制御可能な複数の光源を有する発光手段と、
前記複数の光源に対応する複数の領域からなる画面を有し、前記発光手段からの光を透過して前記画面に画像を表示する表示手段と、
入力画像データの階調値を第１の増加量で増加させた第１画像データを前記表示手段に出力する画像処理手段と、
前記入力画像データの前記複数の領域それぞれにおける明るさを示す特徴量、もしくは前記入力画像データの階調値を前記第１の増加量よりも小さい第２の増加量で増加させた第２画像データの前記複数の領域それぞれにおける明るさを示す特徴量に基づいて、前記複数の光源の発光輝度を制御する制御手段と、
を有することを特徴とする表示装置である。
本発明の第２の態様は、
個別に発光輝度を制御可能な複数の光源を有する発光手段と、
前記複数の光源に対応する複数の領域からなる画面を有し、前記発光手段からの光を透過して前記画面に画像を表示する表示手段と、
入力画像データの階調値を第１の増加量で増加させた第１画像データを前記表示手段に出力する画像処理手段と、
前記第１の増加量を設定する設定手段と、
前記第１の増加量が閾値以下である場合に前記第１画像データの前記複数の領域それぞれにおける明るさを示す特徴量に基づいて前記複数の光源の発光輝度を制御し、
前記第１の増加量が前記閾値より大きい場合に前記閾値以下の増加量で前記入力画像データの階調値を増加させた第２画像データの前記複数の領域それぞれにおける明るさを示す特徴量に基づいて、前記複数の光源の発光輝度を制御する制御手段と、
を備えることを特徴とする表示装置である。
【手続補正３】
【補正対象書類名】明細書
【補正対象項目名】０００８
【補正方法】変更
【補正の内容】
【０００８】
本発明の第３の態様は、
個別に発光輝度を制御可能な複数の光源を有する発光手段と、
前記複数の光源に対応する複数の領域からなる画面を有し、前記発光手段からの光を透過して前記画面に画像を表示する表示手段と、
を有する表示装置の制御方法であって、
入力画像データの階調値を第１の増加量で増加させた第１画像データを前記表示手段に出力する画像処理ステップと、
前記入力画像データの前記複数の領域それぞれにおける明るさを示す特徴量、もしくは前記入力画像データの階調値を前記第１の増加量よりも小さい第２の増加量で増加させた第２画像データの前記複数の領域それぞれにおける明るさを示す特徴量に基づいて、前記複数の各光源の発光輝度を制御する制御ステップと、
を有することを特徴とする表示装置の制御方法である。
本発明の第４の態様は、
個別に発光輝度を制御可能な複数の光源を有する発光手段と、
前記複数の光源に対応する複数の領域からなる画面を有し、前記発光手段からの光を透過して前記画面に画像を表示する表示手段と、
を有する表示装置の制御方法であって、
入力画像データの階調値を第１の増加量で増加させた第１画像データを前記表示手段に出力する画像処理ステップと、
前記第１の増加量を設定する設定ステップと、
前記第１の増加量が閾値以下である場合に前記第１画像データの前記複数の領域それぞれにおける明るさを示す特徴量に基づいて前記複数の光源の発光輝度を制御し、
前記第１の増加量が前記閾値より大きい場合に前記閾値以下の増加量で前記入力画像データの階調値を増加させた第２画像データの前記複数の領域それぞれにおける明るさを示す特徴量に基づいて、前記複数の光源の発光輝度を制御する制御ステップと、
を有することを特徴とする表示装置の制御方法である。
【手続補正４】
【補正対象書類名】明細書
【補正対象項目名】０００９
【補正方法】変更
【補正の内容】
【０００９】
本発明の第５の態様は、上述した表示装置の制御方法の各ステップをコンピュータに実行させるためのプログラムである。